(57)【要約】【課題】光学ヘッドから光磁気ディスクにレーザー光を照射させながら磁気ヘッドから記録する記録データ応じて発生する磁界を光磁気ディスクに印加させることによって信号を記録するように構成された光磁気ディスク記録再生装置に適したレーザー出力設定方法を提供する。【解決手段】記録レーザー出力の調整動作を行い、符号誤り率が最小となるレーザー出力値Ｐ０、記録可能な最大レーザー出力値Ｐ１、記録可能な最小レーザー出力値Ｐ２を求めるとともにＰ０とＰ１との間のレーザー出力値Ｐ３及びＰ２とＰ０との間のレーザー出力値Ｐ４を設定し、記録するトラックに隣接するトラックの使用目的に応じてレーザー出力値を設定する。【選択図】    図１
2004247011.tif 000002
【特許請求の範囲】
【請求項１】
光磁気ディスクに光学ヘッドから発生されるレーザー光を照射するとともに磁気ヘッドから記録データ応じた磁界を発生させることによって光磁気ディスクに信号を記録するように構成された光磁気ディスク記録再生装置において、記録レーザー出力の調整動作を行い、符号誤り率が最小となるレーザー出力値Ｐ０、記録可能な最大レーザー出力値Ｐ１、記録可能な最小レーザー出力値Ｐ２を求めるとともにＰ０とＰ１との間のレーザー出力値Ｐ３及びＰ２とＰ０との間のレーザー出力値Ｐ４を設定し、記録するトラックに隣接するトラックの使用目的に応じてレーザー出力値を設定するようにしたことを特徴とする光磁気ディスク記録再生装置のレーザー出力設定方法。
【請求項２】
隣接するトラックが未記録トラックの場合にはレーザー出力値をＰ０とＰ１との間の値に設定したことを特徴とする請求項１に記載のレーザー出力設定方法。
【請求項３】
隣接するトラックが未記録トラックであり、且つ高特性の記録動作を行う場合にはレーザー出力値をＰ３とＰ１との間の値に設定したことを特徴とする請求項２に記載のレーザー出力設定方法。
【請求項４】
隣接するトラックが記録済みトラックであり、且つ上書き可能トラックの場合にはレーザー出力値をＰ０とＰ１との間の値に設定したことを特徴とする請求項１に記載のレーザー出力設定方法。
【請求項５】
隣接するトラックが記録済みトラックであり、且つ上書き不可能トラックの場合にはレーザー出力値をＰ４とＰ３との間の値に設定したことを特徴とする請求項１に記載のレーザー出力設定方法。
【発明の詳細な説明】
【０００１】
【発明の属する技術分野】
本発明は、光学ヘッドから光磁気ディスクにレーザー光を照射させながら磁気ヘッドから記録する記録データ応じて発生する磁界を光磁気ディスクに印加させることによって信号を記録するように構成された光磁気ディスク記録再生装置に関する。
【０００２】
【従来の技術】
光磁気ディスク記録再生装置は、光磁気ディスクを挟んで光学ヘッドと磁気ヘッドを設けられており、該光磁気ディスクに記録されている信号の再生動作は、光学ヘッドにより行い、該光磁気ディスクへの記録動作は光学ヘッド及び磁気ヘッドとの協働によって行うように構成されている。
【０００３】
そして、斯かる光磁気ディスク記録再生装置において、記録動作を行う場合には、光学ヘッドより出力されるレーザー光の出力を最適な出力に設定する必要があり、斯かるレーザー光の出力を制御する技術が開発されている（例えば、特許文献１参照。）。
【０００４】
【特許文献１】
特開２００１−１２６３３４号公報
【０００５】
【発明が解決しようとする課題】
光磁気ディスク記録再生装置において、記録動作は、前述したように光学ヘッド及び磁気ヘッドとの協働によって行うように構成されているが、磁気ヘッドより記録データに応じて発生する磁界の範囲は小さく絞ることが出来ないので、光学ヘッドから照射されるレーザー光の照射位置が記録トラック上に位置するように制御する必要がある。
【０００６】
また、斯かる光磁気ディスク記録再生装置は、記録動作時光学ヘッドより照射されるレーザー光の出力によって記録特性が大きく変化することになるので、記録動作を行う前に試し書きを行うことによってレーザー出力の設定動作を行うようにされている。このようにしてレーザー出力の設定動作は行われるが、斯かるレーザー出力の設定動作は記録特性が良好になるように設定されるが、従来の技術は隣接するトラックとの関係を考慮しないで設定されていた。従って、記録動作の目的にあった最適なレーザー出力の設定動作は行われないという問題があった。
【０００７】
本発明は、斯かる問題を解決することが出来るレーザー出力設定方法を提供しようとするものである。
【０００８】
【作用】
本発明は、光磁気ディスクに光学ヘッドから発生されるレーザー光を照射するとともに磁気ヘッドから記録データ応じた磁界を発生させることによって光磁気ディスクに信号を記録するように構成された光磁気ディスク記録再生装置において、記録レーザー出力の調整動作を行い、符号誤り率が最小となるレーザー出力値Ｐ０、記録可能な最大レーザー出力値Ｐ１、記録可能な最小レーザー出力値Ｐ２を求めるとともにＰ０とＰ１との間のレーザー出力値Ｐ３及びＰ２とＰ０との間のレーザー出力値Ｐ４を設定し、記録するトラックに隣接するトラックの使用目的に応じてレーザー出力値を設定するように構成されている。
【０００９】
【実施例】
図１は本発明のレーザー出力設定方法を示すフローチャート、図２は本発明に係る光磁気ディスク記録再生装置の一実施例を示すブロック回路図、図３は本発明の動作を説明するための特性図である。
【００１０】
図２において、１はスピンドルモーター（図示せず）によって回転駆動される光磁気ディスクであり、レーザー出力値を調整する試し書きに使用される試し書き領域や信号が記録される信号記録領域が設けられているとともにランドとグルーブによるトラックが周知のように設けられている。
【００１１】
２及び３は前記光磁気ディスク１の下方及び上方に配置されている光学ヘッド及び磁気ヘッドであり、互いに連動して光磁気ディスク１の径方向へ移動されるように構成されている。また、光学ヘッド２には、レーザー光を照射するレーザーダイオード（図示せず）や光磁気ディスク１より反射されるレーザー光を受けて電気信号に変換する光検出器（図示せず）が設けられているとともにレーザー光を光磁気ディスク１の信号面に合焦させるためやトラックにレーザー光を追従させるために対物レンズを変位制御する対物レンズ駆動機構等が組み込まれている。
【００１２】
４は前述した光学ヘッド２に組み込まれている対物レンズの駆動機構を制御することによってフォーカス制御動作を及びトラッキング制御動作を行う光学ヘッド制御回路であり、その制御方法は周知であるので省略する。５は前記光学ヘッド２に組み込まれているレーザーダイオードに駆動信号を供給するレーザー駆動回路であり、光学ヘッド２より照射されるレーザー光の出力を記録用出力及び再生用出力に適した値になるように制御するように構成されている。
【００１３】
６は前記光学ヘッド２に組み込まれている光検出器より得られる再生信号であるＲＦ信号（ラジオ周波信号）が入力されるとともに該信号を増幅するＲＦ信号増幅回路、７は前記ＲＦ信号増幅回路６にて増幅された信号が入力される再生用回路であり、光磁気ディスク１に記録されている信号に規定されている変調コードに応じて再生データに復調するとともに復調された再生データを規格上のデータ構造に応じてデータ復調する機能を有する。
【００１４】
８は外部に設けられているコンピューター等の外部機器とのデータの受け渡しを制御するインターフェース回路であり、前記再生用回路７によって復調された信号を外部機器に出力する作用を有するとともに外部機器より送出される記録信号の入力動作を制御するように構成されている。
【００１５】
９は前記インターフェース回路８を通して入力される記録信号を規格に応じたデータ構造に変調するとともに光磁気ディスク１に記録するための変調コードに変調する動作を行う記録用回路である。１０は前記記録用回路９から出力される記録データに応じて前記磁気ヘッド３を駆動する磁気ヘッド駆動回路である。
【００１６】
１１は光磁気ディスク記録再生装置の各動作を制御するシステム制御回路であり、前述した光学ヘッド制御回路４及びレーザー駆動回路５の動作を制御する機能を有するだけでなく、後述するレーザーの出力値が記憶されるメモリー回路１２の書き込み読み出し動作を制御するように構成されている。
【００１７】
以上に説明したように本発明に係る光磁気ディスク記録再生装置は構成されているが、次に動作について説明する。光磁気ディスク１に記録されている信号の再生動作を行うための切換操作が行われると、システム制御回路１１による制御動作が開始される。再生動作を行う場合には、磁気ヘッド３は使用されることはなく、光学ヘッド２のみが動作状態になる。そして、再生動作を行う場合には、システム制御回路１１による制御動作によってレーザー駆動回路５からレーザー光の出力が信号の読み取り動作を行うための値にするための駆動信号がレーザーダイオードに供給されることになる。また、光磁気ディスク１はスピンドルモーターによって再生動作に必要に速度にて回転駆動されることになる。
【００１８】
前述した状態において、光磁気ディスク２に記録されている信号は、光学ヘッド２に組み込まれている光検出器によって電気信号に変換された後ＲＦ信号増幅回路６に入力される。前記ＲＦ信号増幅回路６に入力された再生信号は増幅された後再生用回路７に入力されるため、該再生用回路７による復調動作によって所望の信号に変換された後インターフェース回路８を介して外部機器に対して送信されることになる。
【００１９】
以上に説明したように再生動作は行われるが、次に光磁気ディスク１への信号の記録動作について説明する。光磁気ディスク１に信号の記録動作を行うための切換操作が行われると、システム制御回路１１による制御動作が開始される。記録動作を行う場合には、光学ヘッド２とともに磁気ヘッド３も使用される。そして、記録動作を行う場合には、システム制御回路１１による制御動作によってレーザー駆動回路５からレーザー光の出力が信号の記録動作を行うための値にするための駆動信号がレーザーダイオードに供給されることになる。また、光磁気ディスク１はスピンドルモーターによって再生動作に必要に速度にて回転駆動されることになる。
【００２０】
前述した状態において、外部機器から送信される記録信号は、インターフェース回路８を介して記録用回路９に入力される。前記記録用回路９に入力された記録信号は、該記録用回路９による変調動作が行われた後磁気ヘッド駆動回路１０に供給される。その結果、該磁気ヘッド駆動回路１０より記録信号に応じて変調された記録データ信号が磁気ヘッド３に印加されることになり、該磁気ヘッド３から記録データに応じた磁界が発生することになる。
【００２１】
前記磁気ヘッド３から記録データに応じた磁界が発生された状態において、信号トラックに光学ヘッド２から発生される記録用のレーザー光が照射されると、その照射部分の記録可能な温度に上昇するので、光学ヘッド２からパルス状のレーザー光が発生される毎に前記磁気ヘッド３から発生される記録磁界に応じて信号が記録されることになる。
【００２２】
以上に説明したように磁気ヘッド３から記録データに応じた磁界を発生させた状態において、光学ヘッド２からレーザー光を信号トラックに照射させるとその照射位置の温度が上昇するので光磁気ディスク１に信号を記録することが出来るが、次に本発明の要旨であるレーザー出力の設定方法について説明する。
【００２３】
図３は、光磁気ディスク記録再生装置における記録用のレーザー出力とその記録された信号に含まれる符号誤り率との関係を示す図である。同図において、ＢＥ０は記録された信号を再生したときその再生信号に含まれる誤り率が最も小さい値であり、そのときのレーザー出力値は、Ｐ０である。また、同図において、ＢＥ１は記録された信号を再生したときその再生信号に含まれる誤り率が許容範囲となる最大の誤り率であり、そのときのレーザー出力の高い方の値がＰ１、低い方の値がＰ２である。
【００２４】
前述したレーザー出力値Ｐ０、Ｐ１及びＰ２は、光磁気ディスク１に設けられている試し書き領域にテスト信号を記録再生することによって求めることが出来る。即ち、テスト信号を復調した信号を磁気ヘッド３に印加させた状態において、光学ヘッド２に組み込まれているレーザーダイオードより発生するレーザー出力を変化させながらテスト信号の記録動作を行い、その記録されたテスト信号の再生動作を行うことによって各出力値を検出することが出来る。
【００２５】
前述したレーザー出力値Ｐ０、Ｐ１及びＰ２が検出されると、これらの出力値がシステム制御回路１１の制御動作によってメモリー回路１２に記憶される。そして、斯かるレーザー出力値が検出されると、Ｐ０とＰ１の値からその中間の値であるＰ３及びＰ２とＰ０の値からその中間の値であるＰ４を設定する動作が行われるとともにその値がメモリー回路１２に記憶される。
【００２６】
ここで、レーザー出力値と符号誤り率との関係について説明する。符号誤り率が小さい程良好な記録特性を得ることが出来るが、光磁気ディスク記録再生装置では、レーザー出力を大きくすると隣接するトラックに記録されている信号に悪影響を与えるため、Ｐ０出力よりレーザー出力を大きくするにつれて符号誤り率が実線Ｐで示すように上昇するという特性がある。斯かる特性は、隣接するトラックに対する影響を考えた場合のものであり、隣接するトラックに対する影響を無視した場合には、Ｐ０出力よりレーザー出力を大きくするにつれて符号誤り率が実線Ｑで示すように下降するという特性がある。
【００２７】
レーザー出力値Ｐ０より小さい値であるＰ４とＰ０との間のレーザー出力による記録動作は、隣接トラックに対する影響が少ないので、記録動作を行うために適している。また、レーザー出力値Ｐ０より大きい値であるＰ０とＰ３との間のレーザー出力による記録動作は、隣接トラックに対する影響は多少あるものの記録特性が良好なため記録動作を行うために適している。そして、隣接するトラックに対する影響を無視した場合には、破線Ｑで示すようにレーザー出力の上昇に伴って記録特性が向上するので、記録特性を重視する場合にはＰ３とＰ１との間のレーザー出力による記録動作を行えば良い。
【００２８】
以上に説明したような特性があるものの従来の光磁気ディスク記録再生装置では、Ｐ０を中心としたレーザー出力値に記録のためのレーザー出力を設定するようにされていた。従って、記録動作に対応させたレーザー出力にて記録動作を行っていないことになる。次に、本発明のレーザー出力設定方法について、図１に示したフローチャートを参照して説明する。
【００２９】
レーザー出力の設定動作は、光磁気ディスク１に設けられている試し書き領域にテスト信号をレーザー出力を変更しながら記録し、その記録された信号を再生することによって行われるが、まずステップＡの動作が行われる。斯かるステップＡでは、記録レーザー出力の調整動作を行い、符号誤り率が最小となるレーザー出力値Ｐ０、記録可能な最大レーザー出力値Ｐ１及び記録可能な最小レーザー出力値Ｐ２を求めるとともにＰ０とＰ１との間のレーザー出力値Ｐ３及びＰ２とＰ０との間のレーザー出力値Ｐ４を設定する動作が行われる。
【００３０】
斯かる動作が行われた後、信号を記録するトラックに隣接するトラックは未記録トラックであるか否かの判定動作が行われる（ステップＢ）。斯かる判定動作は、光磁気ディスク１に記録動作を行う前に読み取られるディスク情報、即ち信号記録領域に記録されている信号の記録位置等を識別するための信号を読み取ることによって行うことが出来る。
【００３１】
ステップＢで隣接するトラックが未記録であれば、レーザー出力を大きくしても隣接トラックに対する影響が無いので、レーザー出力をＰ０より大きくすることが出来る。従って、この場合には、レーザー出力をＰ０とＰ３との間又はＰ３とＰ１との間の値に設定する動作が行われる（ステップＣ）。
【００３２】
ステップＢで隣接トラックに信号が記録されていると判定された場合には、そのトラックは信号の上書きが可能か否かの判定が行われる（ステップＤ）。斯かる判定動作も前述したディスク情報より得ることが出来る。ステップＤにおいて、上書き可能と判定された場合、即ち隣接トラックに記録されている信号に影響を与えても問題が無い場合には、レーザー出力を大きくしても隣接トラックに対する影響が無いので、レーザー出力をＰ０より大きくすることが出来る。従って、この場合には、レーザー出力をＰ０とＰ３との間又はＰ３とＰ１との間の値に設定する動作が行われる（ステップＣ）。
【００３３】
ステップＤにおいて、上書き不可能と判定された場合、即ち隣接トラックに記録されている信号に影響を与えると問題がある場合には、レーザー出力を大きくすると隣接トラックに対する影響があるので、レーザー出力をＰ３より大きくすることは出来ない。従って、この場合には、レーザー出力をＰ４とＰ０との間又はＰ０とＰ３との間の値に設定する動作が行われる（ステップＥ）。
【００３４】
前述したレーザー出力の設定動作を行うことによって隣接トラックの使用状況に合致させたレーザー出力値を設定することが出来るので良好な記録動作を行うことが出来る。
【００３５】
尚、ステップＣにおいて、レーザー出力をＰ０とＰ３との間又はＰ３とＰ１との間の値に設定する動作を行うようにしたが、記録特性を優先させる場合、即ち高特性の記録動作を行う場合には、レーザー出力値をＰ３とＰ１との間の値に設定するようにすれば良く、斯かる動作はシステム制御回路１１に対する外部機器からの記録動作の命令に基づいて行うようにすれば良い。また、ステップＥにおいて、レーザー出力をＰ４とＰ０との間又はＰ０とＰ３との間の値に設定する動作を行うようにしたが、隣接トラックに対する影響を避けたい場合には、レーザー出力値をＰ４とＰ０との間の値に設定するようにすれば良く、斯かる動作はシステム制御回路１１に対する外部機器からの記録動作の命令に基づいて行うようにすれば良い。
【００３６】
【発明の効果】
本発明は、光磁気ディスクに光学ヘッドから発生されるレーザー光を照射するとともに磁気ヘッドから記録データ応じた磁界を発生させることによって光磁気ディスクに信号を記録するように構成された光磁気ディスク記録再生装置において、記録レーザー出力の調整動作を行い、符号誤り率が最小となるレーザー出力値Ｐ０、記録可能な最大レーザー出力値Ｐ１、記録可能な最小レーザー出力値Ｐ２を求めるとともにＰ０とＰ１との間のレーザー出力値Ｐ３及びＰ２とＰ０との間のレーザー出力値Ｐ４を設定し、記録するトラックに隣接するトラックの使用目的に応じてレーザー出力値を設定するようにしたので、記録動作に適したレーザー出力値によって記録動作を行うことが出来る。
【図面の簡単な説明】
【図１】本発明のレーザー出力設定方法を示すフローチャートである。
【図２】本発明に係る光磁気ディスク記録再生装置の一実施例を示すブロック回路図である。
【図３】本発明の動作を説明するための特性図である。
【符号の説明】
１        光磁気ディスク
２        光学ヘッド
３        磁気ヘッド
４        光学ヘッド制御回路
５        レーザー駆動回路
１０        磁気ヘッド駆動回路
１１        システム制御回路
【図１】
2004247011.tif 000003
【図２】
2004247011.tif 000004
【図３】
2004247011.tif 000005